(57)【要約】【課題】  ユーザの待機時間を有効に利用することを可能とする画像形成装置を実現する。【解決手段】  実行中の印刷が終了するまでに要する印刷所要予測時間と表示手段に表示されている閲覧情報の閲覧所要予測時間とを比較し、その差が所定の閾値以上である場合に、印刷所要予測時間と閲覧所要予測時間が近くなるように、前記実行中の印刷の処理または前記閲覧情報の処理の少なくとも一方を変更する。【選択図】  図８
2014111313.tif 000002
【特許請求の範囲】
【請求項１】
表示手段と、
実行中の印刷が終了するまでに要する印刷所要予測時間を算出する印刷所要予測時間算出手段と、
を備える画像形成装置において、
前記画像形成装置は、
前記表示手段に表示されている閲覧情報の閲覧所要予測時間を算出する閲覧所要予測時間算出手段と、
前記印刷所要予測時間と前記閲覧所要予測時間の差が所定の閾値以上であるかどうかを判定する所要予測時間比較手段と、
処理変更手段と、
を有し、
前記処理変更手段は、前記所要予測時間比較手段により前記印刷所要予測時間と前記閲覧所要予測時間の差が前記所定の閾値以上であると判定された場合に、前記印刷所要予測時間と前記閲覧所要予測時間が近くなるように、前記実行中の印刷の処理または前記閲覧情報の表示処理の少なくとも一方を変更することを特徴とする画像形成装置。
【請求項２】
前記画像形成装置は、入力手段をさらに備え、
前記処理変更手段は、前記実行中の印刷の処理または前記閲覧情報の表示処理の少なくとも一方を変更するための選択肢を前記表示手段に表示させ、前記入力手段により前記選択肢が選択された場合に、前記実行中の印刷の処理または前記閲覧情報の表示処理の少なくとも一方を変更することを特徴とする、請求項１に記載の画像形成装置。
【請求項３】
前記閲覧情報は電子メールであり、
前記閲覧所要予測時間算出手段は、前記電子メールの未読件数から前記閲覧所要予測時間を算出することを特徴とする、請求項１または２に記載の画像形成装置。
【請求項４】
前記閲覧情報は動画であり、
前記閲覧所要予測時間算出手段は、前記動画の再生残り時間から前記閲覧所要予測時間を算出することを特徴とする、請求項１または２に記載の画像形成装置。
【請求項５】
表示ステップと、
実行中の印刷が終了するまでに要する印刷所要予測時間を算出する印刷所要予測時間算出ステップと、
を含む画像形成方法において、
前記画像形成方法は、
前記表示ステップにおいて表示されている閲覧情報の閲覧所要予測時間を算出する閲覧所要予測時間算出ステップと、
前記印刷所要予測時間と前記閲覧所要予測時間の差が所定の閾値以上であるかどうかを判定する所要予測時間比較ステップと、
処理変更ステップと、
を有し、
前記処理変更ステップは、前記所要予測時間比較ステップにより前記印刷所要予測時間と前記閲覧所要予測時間の差が前記所定の閾値以上であると判定された場合に、前記印刷所要予測時間と前記閲覧所要予測時間が近くなるように、前記実行中の印刷の処理または前記閲覧情報の表示処理の少なくとも一方を変更することを特徴とする画像形成方法。

【発明の詳細な説明】
【技術分野】
【０００１】
本発明は、画像形成装置及び画像形成方法に関する。
【背景技術】
【０００２】
複写機などの画像形成装置を利用するユーザは、印刷を指示してから印刷が完了するまでに、長い時間待機させられることがある。これは、印刷枚数が多い場合に加え、特に電子写真方式の複写機において、紙面へのトナーの定着を行う定着部のウォーミングアップを行う必要がある場合に顕著となる。
【０００３】
ユーザが複写機に対して、別の位置にあるＰＣ（Personal Computer）などから印刷を指示するような場合は、印刷が完了した頃に複写機の前に移動するようにすれば、ユーザにとって不要な待機時間は起こらない。しかし、複写機の中には、複写機に備え付けられた操作パネルでユーザ名とパスワードを入力してログインを行ってからでないと印刷を行えないものが存在する。このような複写機においては、複写機の前まで移動して印刷を開始する必要があるため、ユーザは印刷が完了するまで複写機の前で待機しなければならず、時間が無駄になっていた。この無駄な待機時間は、複写機に設けられたスキャナを用いてコピーを行うような場合や、ウォーミングアップが行われていることに気づかずに複写機の前まで移動した場合においても同様に起こっていた。
【０００４】
このような待機時間を有効に利用できるようにするため、特許文献１の情報処理装置は、コピージョブの処理中に、ユーザからログインの操作を受け付けて個人認証を行い、認証許可の場合に、電子メール、スケジュール、マイページといった、そのユーザの個人情報を外部のサーバなどから取得して、表示部に表示する。したがって、ユーザは、コピージョブの処理中に、情報処理装置の表示部に表示される自分の個人情報が閲覧できるようになり、コピージョブの処理が完了するまでの待ち時間を有効に過ごすことができるようになる。
【先行技術文献】
【特許文献】
【０００５】
【特許文献１】特開２０１０−２０２２３号公報
【発明の概要】
【発明が解決しようとする課題】
【０００６】
しかしながら、特許文献１の情報処理装置は、取得した情報を表示部に表示するだけであり、表示部の表示内容と、実行されている印刷処理の連携は行われていない。したがって、ユーザによる表示内容の閲覧完了が印刷の完了よりも早かった場合は、ユーザは印刷が完了するまで待機しなければならなかった。一方、ユーザによる表示内容の閲覧完了が印刷の完了よりも遅かった場合は、印刷完了後にユーザが表示内容を閲覧していた時間で行うことが可能であった印刷の高画質化などの品質向上の機会が失われていた。したがって、いずれの場合も、ユーザの待機時間が有効に利用されていないという問題があった。
【０００７】
そこで本発明は、ユーザの待機時間を有効に利用することを可能とする画像形成装置を実現することを目的とする。
【課題を解決するための手段】
【０００８】
本発明の画像形成装置は、表示手段と、実行中の印刷が終了するまでに要する印刷所要予測時間を算出する印刷所要予測時間算出手段と、を備える画像形成装置において、画像形成装置は、表示手段に表示されている閲覧情報の閲覧所要予測時間を算出する閲覧所要予測時間算出手段と、印刷所要予測時間と閲覧所要予測時間の差が所定の閾値以上であるかどうかを判定する所要予測時間比較手段と、処理変更手段と、を有し、処理変更手段は、所要予測時間比較手段により印刷所要予測時間と閲覧所要予測時間の差が所定の閾値以上であると判定された場合に、印刷所要予測時間と閲覧所要予測時間が近くなるように、実行中の印刷の処理または閲覧情報の表示処理の少なくとも一方を変更することを特徴とする。
【発明の効果】
【０００９】
本発明によれば、ユーザの待機時間を有効に利用することを可能とする画像形成装置を実現することができる。
【図面の簡単な説明】
【００１０】
【図１】本発明の画像形成装置の外観を示した図である。
【図２】本発明の画像形成装置の操作パネルを示した図である。
【図３】本発明の画像形成装置のブロック図を表した図である。
【図４】本発明の画像形成装置のネットワーク構成を表した図である。
【図５】本発明の画像形成装置の機能ブロック図を表した図である。
【図６】本発明の画像形成装置にログインし、処理の変更を行う流れを示したフロー図である。
【図７】本発明の画像形成装置における電子メール閲覧を示す図である。
【図８】本発明の画像形成装置において印刷処理や表示処理を変更する方法を示した図である。
【図９】本発明の画像形成装置における資料閲覧を示す図である。
【図１０】本発明の画像形成装置における動画閲覧を示す図である。
【図１１】本発明の画像形成装置に閲覧データを登録する流れを示したフロー図である。
【図１２】本発明の画像形成装置に登録された閲覧データを表した図である。
【図１３】本発明の画像形成装置において印刷処理や表示処理を変更する方法を示した図である。
【００１１】
【発明を実施するための形態】
【００１２】
（画像形成装置の構成）
図１は、本発明の画像形成装置１の外観を表す図である。画像形成装置１には操作パネル２０が設けられている。ユーザはこの操作パネル２０を操作することにより、画像形成装置１に対して指示を行うことができる。画像形成装置１の上部には画像読取部３０が設けられており、紙面のスキャン等を行うことができる。画像形成装置１により印刷された用紙は、排紙トレイ４０に排出される。
【００１３】
図２は、操作パネル２０を上から見た図である。操作パネル２０の中央部には、表示部２１及び入力部２２としてのタッチパネルが設けられている。表示部２１の側方には、電源のオン・オフを行う電源ボタン２３と、ホーム画面に戻るためのホームボタン２４が設けられている。なお、この操作パネル２０の構成は一例であり、タッチパネルの代わりに、接触を検知する機能のない単なるディスプレイを用いてもよいし、０〜９の数字からなる数字ボタンをさらに設けたりしてもよい。
【００１４】
図３は、本発明の画像形成装置１の構成を示すブロック図である。画像形成装置１は、表示部２１及び入力部２２を含む操作パネル２０に加え、画像を読み取る画像読取部３０、用紙に印刷を行う画像形成部５０、画像形成装置１の全体制御を行うＣＰＵ６０、表示部に表示する閲覧情報を作成する閲覧情報作成部６１、ユーザ認証を行うユーザ認証部６２、ＰＣなどと通信を行う通信部７０及び各種データを記憶する記憶部８０からなる。
【００１５】
記憶部８０は、ＨＤＤ（Hard Disk Drive）などからなり、用紙に印刷を行うための画像データ８１、表示部２１に表示を行うための閲覧情報データ８２及び閲覧情報データ８２を管理するための表示管理データ８３が保存されている。表示管理データ８３は、ユーザＩＤ、パスワード、表示ファイル名、表示ファイル格納アドレスなどの情報を含む。
【００１６】
図４は、本発明の画像形成装置１のネットワーク構成の一例を示す図である。画像形成装置１はＬＡＮ（Local Area Network）によって少なくとも１台のＰＣ２と接続されている。ＬＡＮにはサーバ３が接続されていてもよい。また、さらに別の画像形成装置がＬＡＮに接続されていてもよい。
【００１７】
図５は、本発明の画像形成装置１の機能ブロック図である。入力部２２で入力されたユーザのアカウント情報は、ユーザ認証部６２により照合が行われる。ユーザが認証された場合、通信部７０は認証されたユーザに対応する閲覧情報データをＰＣ２などから取得し、閲覧情報作成部６１に渡す。閲覧情報作成部６１は、得られた閲覧情報データを、適切な表示形式にして表示部２１に表示する。閲覧所要予測時間算出部６３は、閲覧情報の内容をもとに、ユーザが表示内容の閲覧にかかると予測される時間を算出する。一方で、印刷所要予測時間算出部６４は、画像形成部５０による印刷の完了までにかかると予測される時間を算出する。所要予測時間比較部６５は、算出された閲覧所要予測時間と印刷所要予測時間を比較し、その結果に応じて処理変更部６６が、画像形成部５０への印刷処理の変更指示や、閲覧情報作成部６１への閲覧情報の変更指示を行う。
【００１８】
（第１の実施形態）
図６は、ユーザが画像形成装置１にログインし、印刷を行う流れを示したフロー図である。
【００１９】
操作パネル２０やＬＡＮ接続されたＰＣ２などからの指示により、画像形成装置１は、ステップＳ１００において、起動や、スリープからの復帰を開始する。そして、ステップＳ１０１において、表示部２１にユーザＩＤおよびパスワードを入力するためのログイン画面を表示する。ステップＳ１０２において、ログイン認証が成功した場合、ステップＳ１０３において、ログインしたユーザに関連する閲覧情報データを記憶部８０やユーザのＰＣ２から取得するように試み、閲覧情報データが存在する場合、ステップＳ１０４において、表示部２１に閲覧情報を表示する。
【００２０】
そして、ステップＳ１０５において、算出された閲覧所要予測時間と印刷所要予測時間を比較し、その差が閾値以上であるかどうかを判定する。差が閾値以上であると判定された場合、ステップＳ１０６において、その時点で印刷または印刷準備を行っている印刷処理の変更や、表示部２１に表示する閲覧情報の処理の変更を行うかどうかをユーザに示す表示を表示部２１に行う。そして、ステップＳ１０７において、ユーザから印刷処理の変更指示や閲覧情報の処理変更指示があった場合、ステップＳ１０８において、その指示通りに印刷処理や閲覧情報の処理を変更する。
【００２１】
なお、ステップＳ１０５において閲覧所要予測時間と印刷所要予測時間の差が閾値よりも小さかった場合や、ステップＳ１０７において印刷処理や閲覧情報の処理変更指示がなかった場合は、ステップＳ１０９においてログアウトが行われるまで、閲覧情報を表示する。また、ステップＳ１０３においてユーザ関連の閲覧情報が存在しなかった場合は、Ｓ１１０においてユーザ関連の閲覧情報を含まない通常画面を表示し、Ｓ１１１においてログアウトが行われるまで通常画面を表示し続ける。
【００２２】
続けて、上記のフローの具体例について説明を行う。
【００２３】
図７は、ログインしたユーザの電子メールが操作パネル２０の表示部２１に表示されている様子を示した図である。表示部２１の上部にはログインしているユーザ名や、画像形成装置１の状態が表示されている。さらに、印刷の完了までにかかると予測される時間を示す印刷所要予測時間表示２１０も表示されている。表示部２１の下部には、ログインしているユーザに関連する閲覧情報が例えば電子メールである場合は、メール閲覧画面を表示する。
【００２４】
この例においては、未読メールが２件存在する。未読メールを１件読むのに必要な時間が１分と設定されているとすると、閲覧所要予測時間算出部６３は、２件の未読メールを読み終えるのにかかる時間を２分と予測する。一方、印刷所要予測時間算出部６４により予測された印刷完了までにかかる時間が３分であるとすると、ユーザが未読メールを読み終えてから印刷が終了するまでに、およそ１分の待機時間ができてしまうことになる。
【００２５】
このように、閲覧所要予測時間と印刷所要予測時間との差が閾値の１分以上である場合は、両者を近づけるような印刷処理の変更候補を表示部２１に表示する。
【００２６】
この場合においては、閲覧所要予測時間が印刷所要予測時間よりも短いので、図８に示したように、画質よりも速度を優先させる速度優先ボタン２１２、おすすめニュースを読むことができる付加情報閲覧ボタン２１７及び印刷処理や表示処理の変更を行わず表示を消去するためのキャンセルボタン２１３を含んだ処理変更パネル２１１を表示部２１に表示する。速度優先ボタン２１２には、速度を優先させたときの印刷所要予測時間をあわせて表示する。付加情報閲覧ボタン２１７には、付加情報を閲覧したときに加算される閲覧所要予測時間をあわせて表示する。
【００２７】
ここで、速度優先ボタン２１２が押された場合は、処理変更部６６が画像形成部５０に対し、画質よりも速度を優先させて印刷を行うように指示する。速度を優先させることにより、印刷所要予測時間が３分から２分に短縮され、ユーザの閲覧所要予測時間と同じ値になるため、ユーザがメールを閲覧し終わる頃に、印刷が終了することとなる。一方で、付加情報閲覧ボタン２１７が押された場合は、処理変更部６６が閲覧情報作成部６１に対し、付加情報であるニュースの表示を作成するように指示することで、ユーザは印刷が終わるまで、表示部２１に表示されたニュースも閲覧することができる。
【００２８】
以上のように、閲覧所要予測時間が印刷所要予測時間よりも短い場合に、表示部２１に表示された内容に応じて印刷処理や閲覧情報の処理を変更することで、ユーザが閲覧情報を読み終えたころに印刷が終了することになるため、ユーザの待機時間を有効に利用することが可能となる。
【００２９】
なお、おすすめとして表示されるニュースの件数は、閲覧所要予測時間と印刷所要予測時間との差に応じて適宜変更される。また、閲覧できる付加情報はニュースに限らず、天気予報やミニゲームなど、一定の時間を消費できるようなものであればよい。
【００３０】
また、閲覧所要予測時間算出部６３は、ユーザが閲覧に要すると予測する時間を、ユーザ自身による設定によって算出するようにしてもよいし、ユーザの過去の閲覧時の記録の平均値などから算出するようにしてもよい。また、未読メールを表示部２１で閲覧した場合は、該当メールは既読であるという情報をメール等に付加することで、ＰＣ２などでメールを再度閲覧する際に、すでに読んだメールが既読扱いとなっているようにしてもよい。
【００３１】
図９は、個人データとして、ＰＤＦなどの書類を表示している状態を示した図である。この場合、閲覧所要予測時間は、閲覧可能な書類の数により予測してもよいし、さらに詳細に、スクロール速度と書類のページ数から予測するようにしてもよい。
【００３２】
この場合においても同様に、閲覧所要予測時間が印刷予測時間よりも閾値である１分以上短い場合は、図８と同様に、印刷処理を高速化する速度優先ボタン２１２や、付加情報閲覧ボタン２１７を表示する。
【００３３】
このようにすることで、表示部に表示された内容を閲覧し終える時刻と、印刷が終了する時刻を近づけることができるため、ユーザの待機時間を有効に利用することが可能となる。
【００３４】
さらには、閲覧情報として、ログインしたユーザの個人データの代わりに、図１０に示したように、表示部２１で動画を閲覧できるようになっていてもよい。このような場合、動画の終了までの残り時間を閲覧所要予測時間として、印刷所要予測時間との比較を行うようにすれば良い。さらには、ウェブブラウザを搭載し、表示部２１上でウェブ閲覧が行える場合は、例えば計測されたファイルのダウンロード速度を元に閲覧所要予測時間を予測するようにしてもよい。
【００３５】
このように、閲覧情報として個人データ以外のものを用いる場合においても、表示部に表示された内容を閲覧し終える時刻と、印刷が終了する時刻を近づけることができるため、ユーザの待機時間を有効に利用することが可能となる。
【００３６】
さらには、表示部２１に表示される閲覧情報を時間帯によって変更するようにしてもよい。例えば、画像形成装置１がオフィスに置かれることを想定し、朝の始業時間帯には安全標語を、昼休憩の直前の時間帯には社食のお薦めメニューや社内販売のお薦め商品を、夕方の終業前の時間帯には最寄り交通機関の発車時刻表や明日の天気を表示し、それ以外の時間帯にはユーザに関連する閲覧情報を表示するようにしてもよい。
【００３７】
これにより、時間帯に合わせた適切な情報をユーザが自発的に取得することなく、閲覧することができるようになる。
【００３８】
（個人データ登録）
図１１は、ＬＡＮによって接続されたＰＣ２から画像形成装置１に閲覧情報データを登録する流れを表したフロー図である。
【００３９】
ステップＳ２００において、画像形成装置で表示する閲覧情報データをＰＣ２上で選択する。そして、ステップＳ２０１において、登録先の画像形成装置を選択し、ステップＳ２０２においてユーザＩＤおよびパスワードが入力されると、ステップＳ２０３において、閲覧情報データを選択された画像形成装置へと送信する。なお、これらのフローは必ずしもこの順になっていなくても良く、ステップＳ２００〜Ｓ２０２は順不同でよい。
【００４０】
図１２は、表示用ファイルが格納された場所を表す格納アドレスを示した表である。画像形成装置１の固有ＩＤがＭＦＰ１である場合、ユーザＳ１の表示用ファイルは例えばＭＦＰ１／Ｃ／ＰＡＮＥＬＤＡＴＡ／Ｓ１のように表される。
【００４１】
また、同様の手順を用いて、画像形成装置１に閲覧情報データそのものを登録するのではなく、閲覧情報データが格納されるアドレスを登録しておくようにしてもよい。
【００４２】
すなわち、図１１のステップＳ２０３において閲覧情報データを送信する代わりに、閲覧情報データを格納したアドレスを送信する。閲覧情報データを格納したアドレスは、例えばサーバ３のＩＰアドレスを１０．３６．１５２．１０とした場合、１０．３６．１５２．１０／Ｃ／ＤＯＣＵＭＥＮＴのように表される。このようにすれば、画像形成装置１に直接データを保存する必要がないため、画像形成装置１の記憶容量の節約や、データ流出のリスクを抑えることができる。
【００４３】
（第２の実施形態）
第２の実施形態においては、閲覧所要予測時間が印刷所要予測時間よりも長い場合について説明を行う。
【００４４】
例えば、未読メールが５件で閲覧所要予測時間が５分と算出される一方で、印刷所要予測時間が３分である場合は、印刷が完了し終わっても、ユーザは２分程度未読メールを閲覧し続けることが予想される。
【００４５】
ここでは、閲覧所要予測時間よりも印刷所要予測時間のほうが閾値の１分以上短いため、図１３に示したように、印刷時に速度よりも画質を優先する画質優先ボタン２１４、重要メールのみを表示する重要メールボタン２１５、および印刷処理や表示処理の変更を行わず表示を消去するためのキャンセルボタン２１３からなる処理変更パネル２１１を表示する。画質優先ボタン２１４には、その設定を行ったときの印刷所要予測時間をあわせて表示する。重要メールボタン２１５には、少なくなる閲覧所要予測時間を合わせて表示する。
【００４６】
ここで、例えば画質優先ボタン２１４が押されると、印刷完了までにかかる時間が３分から５分へと長くなる代わりに、高画質で印刷を行うことができる。このように、ユーザが表示内容を閲覧している時間を用いて印刷の高画質を行うため、ユーザの待機時間を有効に利用することが可能となる。
【００４７】
また、重要メールボタン２１５が押されると、未読メールのうち、メール内容から重要度が高いと推定されるメールのみを表示することで、閲覧にかかる時間を２分減らすことができる。したがって、印刷が終了しているにもかかわらず、ユーザが長時間、画像形成装置１の前を占有するといったことを防ぐことができる。
【００４８】
なお、重要度が高いメールのみを強調表示し、重要度が低いメールも表示するようにしてもよい。このようにすることで、重要度が高いメールを読み終わった後に時間が余れば、重要度が低いメールも読むことができるため、さらに待機時間を有効に利用できる。
【００４９】
また、例えば印刷速度を遅くすることで、低消費電力で印刷が行えるといった場合は、上述の画質優先ボタン２１４に加え、省エネルギー性を優先させて印刷を行うための省エネボタンといったものも表示するようにしてもよい。
【００５０】
（第３の実施形態）
第１及び第２の実施形態においては、閲覧所要予測時間と印刷所要予測時間の差が閾値以上であった場合に、閲覧所要予測時間や印刷所要予測時間を変化させる選択肢をユーザが選択することで、閲覧情報や印刷処理の変更が行えるようになっていた。
【００５１】
第３の実施形態においては、ユーザに選択肢を提示するのではなく、画像形成装置１自身が判断して印刷処理を変更させる。
【００５２】
すなわち、例えば、第１の実施形態の図７に示したようなメール閲覧の場合において、閲覧所要予測時間が印刷所要予測時間よりも１分以上短いと判断した場合は、図８のような処理変更パネル２１１を表示せず、自動的に印刷処理の速度優先への変更や、付加情報の表示を行う。
【００５３】
同様に、閲覧所要予測時間が印刷所要予測時間よりも１分以上長いと判断した場合は、図１３のような処理変更パネル２１１を表示せず、自動的に印刷処理の画質優先への変更や、情報の一部削除を行う。
【００５４】
このようにすることによって、ユーザの手間を増やすことなく、ユーザの待機時間を有効に利用することが可能となる。
【００５５】
ただし、このような自動的な変更を行った場合、例えばユーザが閲覧情報を閲覧する意図がないにもかかわらず、印刷にかかる時間が長くなってしまう可能性があるため、自動的な変更を行った際には表示部２１に変更したことを示すメッセージを表示し、さらにユーザが印刷処理や表示処理を元に戻せるようなボタンを表示するようにしてもよい。
【００５６】
（変形例）
本発明の画像形成装置１は、印刷を行うために画像形成装置１の操作パネルによってログインを行う必要がある方式に限らず、印刷実行をＰＣなどから指示されたときはすぐに印刷を開始するようなものであってもよい。
【００５７】
また、印刷速度の高速化においては、画質を落とす方法に加え、１枚の用紙に複数ページを印刷する割り付け印刷を行うことによって実現するようにしてもよい。
【００５８】
【符号の説明】
【００５９】
１  画像形成装置
２  ＰＣ
３  サーバ
２０  操作パネル
２１  表示部
２２  入力部
２３  電源ボタン
２４  ホームボタン
３０  画像読取部
４０  排紙トレイ
５０  画像形成部
６０  ＣＰＵ
６１  閲覧情報作成部
６２  ユーザ認証部
６３  閲覧所要予測時間算出部
６４  印刷所要予測時間算出部
６５  所要予測時間比較部
６６  処理変更部
７０  通信部
８０  記憶部
８１  画像データ
８２  閲覧情報データ
８３  表示管理データ
２１０  印刷所要予測時間表示
２１１  処理変更パネル
２１２  速度優先ボタン
２１３  キャンセルボタン
２１４  画質優先ボタン
２１５  重要メールボタン
２１７  付加情報閲覧ボタン
【図１】
2014111313.tif 000003
【図２】
2014111313.tif 000004
【図３】
2014111313.tif 000005
【図４】
2014111313.tif 000006
【図５】
2014111313.tif 000007
【図６】
2014111313.tif 000008
【図７】
2014111313.tif 000009
【図８】
2014111313.tif 000010
【図９】
2014111313.tif 000011
【図１０】
2014111313.tif 000012
【図１１】
2014111313.tif 000013
【図１２】
2014111313.tif 000014
【図１３】
2014111313.tif 000015